(57)【要約】【課題】セキュリティと利便性の両方が優れた携帯端末装置を提供する。【解決手段】無線ＬＡＮクライアントとして機能する携帯端末装置１は、アクセスポイント指定情報５１及びユーザ認証情報５２を記憶する。画面ロック制御手段１１は、画面ロック解除セキュリティが有効に設定されている場合はユーザ認証情報５２に基づくユーザ認証の結果に基づいて、画面ロック解除セキュリティが無効に設定されている場合はユーザ認証情報５２に基づくユーザ認証なしで画面ロックを解除する。画面ロック解除セキュリティ設定手段１２は、アクセスポイント指定情報５１に対応する指定アクセスポイントに携帯端末装置１が帰属中にユーザ認証情報５２に基づくユーザ認証の結果に基づいて画面ロックが解除されると画面ロック解除セキュリティを無効に設定し、携帯端末装置１のアクセスポイントへの帰属状態が変化すると画面ロック解除セキュリティを有効に設定する。【選択図】図１
2014215673.tif 000002
【特許請求の範囲】
【請求項１】
無線ＬＡＮ（Ｌｏｃａｌ  Ａｒｅａ  Ｎｅｔｗｏｒｋ）クライアントとして機能する携帯端末装置であって、
アクセスポイント指定情報及び登録ユーザ認証情報を記憶した記憶手段と、
タッチパネルと、
画面ロック解除セキュリティが有効に設定されている場合は前記登録ユーザ認証情報に基づくユーザ認証の結果に基づいて前記タッチパネルの画面ロックを解除し、前記画面ロック解除セキュリティが無効に設定されている場合は前記登録ユーザ認証情報に基づくユーザ認証なしで前記タッチパネルの画面ロックを解除する画面ロック制御手段と、
前記アクセスポイント指定情報に対応する指定アクセスポイントに前記携帯端末装置が帰属中に前記登録ユーザ認証情報に基づくユーザ認証の結果に基づいて前記タッチパネルの画面ロックが解除されると前記画面ロック解除セキュリティを無効に設定し、前記携帯端末装置のアクセスポイントへの帰属状態が変化すると前記画面ロック解除セキュリティを有効に設定する画面ロック解除セキュリティ設定手段と
を具備する
携帯端末装置
【請求項２】
請求項１に記載の携帯端末装置であって、
前記指定アクセスポイントが送信した信号を受信する無線通信手段と、
前記信号及び前記アクセスポイント指定情報に基づいて前記指定アクセスポイントが前記アクセスポイント指定情報に対応すると判定する接続管理手段と
を更に具備し、
前記アクセスポイント指定情報は、前記指定アクセスポイントが属するネットワークのＥＳＳ−ＩＤ（Ｅｘｔｅｎｄｅｄ  Ｓｅｒｖｉｃｅ  Ｓｅｔ−Ｉｄｅｎｔｉｆｉｅｒ）である
携帯端末装置
【請求項３】
請求項１又は２に記載の携帯端末装置であって、
前記携帯端末装置のアクセスポイントへの帰属状態が変化することは、
前記携帯端末装置が前記指定アクセスポイントに帰属した状態から他のアクセスポイントに帰属した状態に遷移することと、
前記携帯端末装置が前記指定アクセスポイントに帰属した状態からいずれのアクセスポイントにも帰属しない状態に遷移することと
を含む
携帯端末装置。
【請求項４】
請求項１乃至３のいずれか１項に記載の携帯端末装置であって、
前記タッチパネルは、
前記画面ロック解除セキュリティが有効に設定されている場合はユーザ認証情報の入力を要求するユーザ認証情報入力画面を表示し、前記画面ロック解除セキュリティが無効に設定されている場合は前記ユーザ認証情報入力画面を表示しない表示部と、
前記ユーザ認証情報入力画面に対するユーザの操作に基づいて入力ユーザ認証情報を生成する入力部と
を備え、
前記登録ユーザ認証情報及び前記入力ユーザ認証情報に基づいてユーザ認証を実行するユーザ認証手段を更に具備する
携帯端末装置。
【請求項５】
無線ＬＡＮクライアントとして機能する携帯端末装置の画面ロック制御方法であって、
画面ロック解除セキュリティが有効に設定されている場合は前記携帯端末装置に記憶された登録ユーザ認証情報に基づくユーザ認証の結果に基づいて前記携帯端末装置のタッチパネルの画面ロックを解除し、
前記画面ロック解除セキュリティが無効に設定されている場合は前記登録ユーザ認証情報に基づくユーザ認証なしで前記タッチパネルの画面ロックを解除し、
前記携帯端末装置に記憶されたアクセスポイント指定情報に対応する指定アクセスポイントに前記携帯端末装置が帰属中に前記登録ユーザ認証情報に基づくユーザ認証の結果に基づいて前記タッチパネルの画面ロックが解除されると前記画面ロック解除セキュリティを無効に設定し、
前記携帯端末装置のアクセスポイントへの帰属状態が変化すると前記画面ロック解除セキュリティを有効に設定する
画面ロック制御方法。
【請求項６】
請求項５に記載の画面ロック制御方法であって、
前記アクセスポイント指定情報及び前記指定アクセスポイントが送信した信号に基づいて前記指定アクセスポイントが前記指定アクセスポイントに対応すると判定し、
前記アクセスポイント指定情報は、前記指定アクセスポイントが属するネットワークのＥＳＳ−ＩＤである
画面ロック制御方法。
【請求項７】
請求項５又は６に記載の画面ロック制御方法であって、
前記携帯端末装置のアクセスポイントへの帰属状態が変化することは、
前記携帯端末装置が前記指定アクセスポイントに帰属した状態から他のアクセスポイントに帰属した状態に遷移することと、
前記携帯端末装置が前記指定アクセスポイントに帰属した状態からいずれのアクセスポイントにも帰属しない状態に遷移することと
を含む
画面ロック制御方法
【請求項８】
請求項５乃至７のいずれか１項に記載の画面ロック制御方法であって、
前記ユーザ認証の結果に基づいて前記タッチパネルの画面ロックを解除することは、
ユーザ認証情報の入力を要求するユーザ認証情報入力画面を表示すること、
前記ユーザ認証情報入力画面に対するユーザの操作に基づいて入力ユーザ認証情報を生成すること、
前記登録ユーザ認証情報及び前記入力ユーザ認証情報に基づいてユーザ認証を実行すること
を含み、
前記画面ロック解除セキュリティが無効に設定されている場合は前記ユーザ認証情報入力画面を表示しない
画面ロック制御方法。
【請求項９】
無線ＬＡＮクライアントとして機能する携帯端末装置に画面ロック制御方法を実行させるプログラムであって、
前記画面ロック制御方法は、
画面ロック解除セキュリティが有効に設定されている場合は前記携帯端末装置に記憶された登録ユーザ認証情報に基づくユーザ認証の結果に基づいて前記携帯端末装置のタッチパネルの画面ロックを解除し、
前記画面ロック解除セキュリティが無効に設定されている場合は前記登録ユーザ認証情報に基づくユーザ認証なしで前記タッチパネルの画面ロックを解除し、
前記携帯端末装置に記憶されたアクセスポイント指定情報に対応する指定アクセスポイントに前記携帯端末装置が帰属中に前記登録ユーザ認証情報に基づくユーザ認証の結果に基づいて前記タッチパネルの画面ロックが解除されると前記画面ロック解除セキュリティを無効に設定し、
前記携帯端末装置のアクセスポイントへの帰属状態が変化すると前記画面ロック解除セキュリティを有効に設定する
プログラム。
【発明の詳細な説明】
【技術分野】
【０００１】
本発明は携帯端末装置、画面ロック制御方法、及びプログラムに関する。
【背景技術】
【０００２】
近年、スマートフォンのような携帯電話機を業務用端末として導入利用する会社が増えてきている。業務用端末に格納されている電話帳やメール情報などが漏えいすると、個人利用の端末内に格納されている電話帳やメール情報などが漏えいした場合に比べて影響が大きい。このため、業務用端末を紛失した場合の情報漏えいを防ぐため、業務用端末では画面ロック解除セキュリティを必須としていることが多い。
【０００３】
スマートフォンのような携帯端末装置では、端末が操作されない無操作時間が所定の設定値を超えると、通常使用が可能な動作状態から端末の表示が消えたスタンバイ状態に自動的に遷移させる制御が実行されることが多い。このとき、画面ロックが設定されて端末の操作が制限される。画面ロック解除セキュリティが設定されていると、スタンバイ状態から動作状態に遷移するときに画面ロックを解除するためのパスワード入力が必要とされる。パスワードを入力することで画面ロックが解除され、端末の通常使用が可能になる。
【０００４】
画面ロック解除セキュリティ以外にもセキュリティを確保するための様々な技術が提案されている。
【０００５】
特許文献１に開示されたコンピュータは、無線通信部と、基地局検出部と、ブート制御部と、デバイスロック制御部とを備える。基地局検出部は、コンピュータの電源投入に応答して、無線通信部との無線接続が可能なアクセスポイントを検出するアクセスポイントサーチを実行する。ブート制御部は、アクセスポイントサーチによって検出されたアクセスポイントが特定のアクセスポイントである場合にオペレーティングシステムの起動を許可し、特定のアクセスポイントでない場合にオペレーティングシステムの起動を禁止する。デバイスロック制御部は、オペレーティングシステムが起動された後に、コンピュータが特定のアクセスポイントの通信エリア外に移動された場合、コンピュータの入力装置の使用を禁止するデバイスロック処理と、コンピュータの表示装置の表示画面をオフする処理を実行する。
【０００６】
特許文献２に開示された携帯端末装置は、携帯端末装置が帰属しているアクセスポイントを認識するＡＰ認識部と、そのアクセスポイントが所定のアクセスポイント以外の場合に携帯端末装置における使用可能な機能を制限する機能制限処理部とを備える。したがって、携帯端末装置が信頼性の高いアクセスポイント以外のアクセスポイントに帰属している場合に使用可能な機能を制限することができる。
【０００７】
特許文献３に開示された携帯端末措置は、所定時間キー操作が行われなかったときにロック状態に遷移し、衛星からの電波に基づいて現在位置情報を取得し、現在位置情報に基づいて携帯端末装置の現在位置が予め設定されたセキュリティエリア内であるか否かを判定する。携帯端末装置は、現在位置がセキュリティエリア内である場合は解除用キーの押下によりロック状態を解除し、現在位置がセキュリティエリア外である場合は使用者認証を行った後にロック状態を解除する。
【先行技術文献】
【特許文献】
【０００８】
【特許文献１】特開２００７−３２３３１３号公報
【特許文献２】特開２００９−２２４８７６号公報
【特許文献３】特開２００８−２２７７５８号公報
【発明の概要】
【発明が解決しようとする課題】
【０００９】
本発明者は、上述した技術に以下の問題点を発見した。
【００１０】
業務用端末に画面ロック解除セキュリティを設定した場合、スタンバイ状態になった端末を利用するときは、毎回パスワードを入力する必要がある。特にスマートフォンでは表示部が大きく、ＣＰＵ（Ｃｅｎｔｒａｌ  Ｐｒｏｃｅｓｓｉｎｇ  Ｕｎｉｔ）の能力も高いため、動作時の消費電流が大きい。そのため、無操作時間の設定値を短くしていることが多い。端末が操作されない時間が短時間であってもスタンバイ状態となるため、スマートフォンでは画面ロックを解除するためにパスワード入力を行う場面が発生しやすい。
【００１１】
業務用端末を紛失した場合の情報漏えいを防ぐため、画面ロック解除セキュリティは必須と考えられる。しかしながら、画面ロック解除セキュリティが設定されていると、業務用端末を社内で使用している場合にも画面ロックを解除するためのパスワード入力を頻繁に行う必要があるために利便性が低いという問題点があった。
【００１２】
特許文献１に開示されたコンピュータは、特定のアクセスポイントの通信エリア内でしか使用できないために利便性が低いという問題点があった。特許文献２に開示された携帯端末装置は、所定のアクセスポイント以外のアクセスポイントに帰属している場合は使用可能な機能が制限されるために利便性が低いという問題点があった。
【００１３】
特許文献３に開示された携帯端末装置は、利便性は優れている。しかしながら、セキュリティエリア内であれば悪意のある他者が簡単にロック状態を解除できるためにセキュリティが確保されないという問題点があった。
【００１４】
本発明の目的は、このような問題点を解決するため、セキュリティと利便性の両方が優れた携帯端末装置、画面ロック制御方法、及びプログラムを提供することである。
【課題を解決するための手段】
【００１５】
本発明にかかる携帯端末装置は、無線ＬＡＮ（Ｌｏｃａｌ  Ａｒｅａ  Ｎｅｔｗｏｒｋ）クライアントとして機能する。前記携帯端末装置は、アクセスポイント指定情報及び登録ユーザ認証情報を記憶した記憶手段と、タッチパネルと、画面ロック解除セキュリティが有効に設定されている場合は前記登録ユーザ認証情報に基づくユーザ認証の結果に基づいて前記タッチパネルの画面ロックを解除し、前記画面ロック解除セキュリティが無効に設定されている場合は前記登録ユーザ認証情報に基づくユーザ認証なしで前記タッチパネルの画面ロックを解除する画面ロック制御手段と、前記アクセスポイント指定情報に対応する指定アクセスポイントに前記携帯端末装置が帰属中に前記登録ユーザ認証情報に基づくユーザ認証の結果に基づいて前記タッチパネルの画面ロックが解除されると前記画面ロック解除セキュリティを無効に設定し、前記携帯端末装置のアクセスポイントへの帰属状態が変化すると前記画面ロック解除セキュリティを有効に設定する画面ロック解除セキュリティ設定手段とを具備する。
【００１６】
本発明にかかる画面ロック制御方法は、無線ＬＡＮクライアントとして機能する携帯端末装置の画面ロック制御方法である。前記画面ロック制御方法は、画面ロック解除セキュリティが有効に設定されている場合は前記携帯端末装置に記憶された登録ユーザ認証情報に基づくユーザ認証の結果に基づいて前記携帯端末装置のタッチパネルの画面ロックを解除し、前記画面ロック解除セキュリティが無効に設定されている場合は前記登録ユーザ認証情報に基づくユーザ認証なしで前記タッチパネルの画面ロックを解除し、前記携帯端末装置に記憶されたアクセスポイント指定情報に対応する指定アクセスポイントに前記携帯端末装置が帰属中に前記登録ユーザ認証情報に基づくユーザ認証の結果に基づいて前記タッチパネルの画面ロックが解除されると前記画面ロック解除セキュリティを無効に設定し、前記携帯端末装置のアクセスポイントへの帰属状態が変化すると前記画面ロック解除セキュリティを有効に設定する。
【００１７】
本発明にかかるプログラムは、無線ＬＡＮクライアントとして機能する携帯端末装置に画面ロック制御方法を実行させるプログラムである。前記画面ロック制御方法は、画面ロック解除セキュリティが有効に設定されている場合は前記携帯端末装置に記憶された登録ユーザ認証情報に基づくユーザ認証の結果に基づいて前記携帯端末装置のタッチパネルの画面ロックを解除し、前記画面ロック解除セキュリティが無効に設定されている場合は前記登録ユーザ認証情報に基づくユーザ認証なしで前記タッチパネルの画面ロックを解除し、前記携帯端末装置に記憶されたアクセスポイント指定情報に対応する指定アクセスポイントに前記携帯端末装置が帰属中に前記登録ユーザ認証情報に基づくユーザ認証の結果に基づいて前記タッチパネルの画面ロックが解除されると前記画面ロック解除セキュリティを無効に設定し、前記携帯端末装置のアクセスポイントへの帰属状態が変化すると前記画面ロック解除セキュリティを有効に設定する。
【発明の効果】
【００１８】
本発明により、セキュリティと利便性の両方が優れた携帯端末装置、画面ロック制御方法、及びプログラムを提供することができる。
【図面の簡単な説明】
【００１９】
【図１】実施の形態１にかかる携帯端末装置の構成を示すブロック図である。
【図２】実施の形態１にかかる携帯端末装置の状態遷移図である。
【図３】実施の形態２にかかる携帯端末装置の構成を示すブロック図である。
【図４】実施の形態２にかかる携帯端末装置の状態遷移図である。
【図５】実施の形態２にかかる携帯端末装置がユーザ認証情報入力画面を表示した状態を示す外観図である。
【図６】実施の形態２にかかる携帯端末装置がアクセスポイント指定情報に対応するアクセスポイントのセル内から圏外に移動した場合における状態遷移を示す概念図である。
【図７】実施の形態２にかかる携帯端末装置がアクセスポイント指定情報に対応する一のアクセスポイントのセル内からアクセスポイント指定情報に対応する他のアクセスポイントのセル内に移動した場合における状態遷移を示す概念図である。
【図８】実施の形態２にかかる携帯端末装置がアクセスポイント指定情報に対応しないアクセスポイントのセル内で使用された場合における状態遷移を示す概念図である。
【図９】比較例１にかかる携帯端末装置の状態遷移図である。
【図１０】比較例２にかかる携帯端末装置の状態遷移図である。
【図１１】変形例にかかる携帯端末装置が画面ロック解除画面を表示した状態を示す外観図である。
【発明を実施するための形態】
【００２０】
以下、図面を参照して本発明の実施の形態にかかる携帯端末装置、画面ロック制御方法、及びプログラムを説明する。
【００２１】
＜実施の形態１＞
＜実施の形態１の構成＞
図１を参照して、実施の形態１にかかる携帯端末装置１の構成を説明する。携帯端末装置１は、無線ＬＡＮ（Ｌｏｃａｌ  Ａｒｅａ  Ｎｅｔｗｏｒｋ）クライアントとして機能する。無線ＬＡＮは、ＷＬＡＮと称される場合がある。携帯端末装置１は、無線ＬＡＮのアクセスポイント（ＡＰ）に帰属することができる。携帯端末装置１がアクセスポイントに帰属していることを、携帯端末装置１がそのアクセスポイントの圏内で待ち受けていると称する場合がある。携帯端末装置１として、スマートフォンのような携帯電話機、及びタブレット端末のような持ち運び可能なコンピュータが例示される。携帯端末装置１は、記憶部５と、タッチパネル８と、画面ロック制御部１１と、画面ロック解除セキュリティ設定部１２とを備える。記憶部５、画面ロック制御部１１、及び画面ロック解除セキュリティ設定部１２は、それぞれ、記憶手段５、画面ロック制御手段１１、及び画面ロック解除セキュリティ設定手段１２と称される場合がある。記憶部５は、アクセスポイント指定情報５１（ＡＰ指定情報５１）と、ユーザ認証情報５２とを記憶する。ユーザ認証情報５２は、登録ユーザ認証情報５２と称される場合がある。
【００２２】
画面ロック制御部１１は、タッチパネル８に対して画面ロックの設定及び解除を実行する。画面ロックが設定されていると、画面ロックを解除するための操作（例えば、ユーザ認証のための操作）以外の操作ができないようにタッチパネル８の機能が制限される。タッチパネル８に画面ロックを設定することにより、鞄やポケットに入れられた携帯端末装置１が誤動作することが防がれる。
【００２３】
画面ロック解除セキュリティ設定部１２は、画面ロック解除セキュリティの有効及び無効を切り替える。画面ロック解除セキュリティが有効に設定されている場合、画面ロックの解除にユーザ認証が必要である。画面ロック解除セキュリティが無効に設定されている場合、画面ロックの解除にユーザ認証が不要である。画面ロック解除セキュリティを有効に設定することで、携帯端末装置１のユーザ以外の者が携帯端末装置１を操作することを防止できる。
【００２４】
尚、画面ロック制御部１１及び画面ロック解除セキュリティ設定部１２は、専用回路として提供されてもよく、携帯端末装置１のＣＰＵ（Ｃｅｎｔｒａｌ  Ｐｒｏｃｅｓｓｉｎｇ  Ｕｎｉｔ）がプログラムに基づいて動作することによって実現されてもよい。
【００２５】
＜実施の形態１の動作＞
図２を参照して、実施の形態１にかかる携帯端末装置１の画面ロック制御方法を説明する。図２は、実施の形態１にかかる携帯端末装置１の状態遷移図である。携帯端末装置１は、画面ロック解除セキュリティが有効に設定された状態Ｓ１０（以下、画面ロック解除セキュリティ有効状態Ｓ１０という。）と、画面ロック解除セキュリティが無効に設定された状態Ｓ２０（以下、画面ロック解除セキュリティ無効状態Ｓ２０という。）をとることができる。
【００２６】
画面ロック解除セキュリティ有効状態Ｓ１０において、画面ロック制御部１１は、登録ユーザ認証情報５２に基づくユーザ認証の結果に基づいてタッチパネル８の画面ロックを解除する。画面ロック解除セキュリティ無効状態Ｓ２０において、画面ロック制御部１１は、登録ユーザ認証情報５２に基づくユーザ認証なしでタッチパネル８の画面ロックを解除する。
【００２７】
アクセスポイント指定情報５１に対応するアクセスポイントに携帯端末装置１が帰属中に登録ユーザ認証情報５２に基づくユーザ認証の結果に基づいてタッチパネル８の画面ロックが解除されると、画面ロック解除セキュリティ設定部１２は、画面ロック解除セキュリティを無効に設定する。その結果、携帯端末装置１は画面ロック解除セキュリティ有効状態Ｓ１０から画面ロック解除セキュリティ無効状態Ｓ２０に遷移する。画面ロック解除セキュリティ無効状態Ｓ２０において、携帯端末装置１のアクセスポイントへの帰属状態が変化すると、画面ロック解除セキュリティ設定部Ｓ１２は、画面ロック解除セキュリティを有効に設定する。例えば、携帯端末装置１が一のアクセスポイントに帰属した状態から他のアクセスポイントに帰属した状態に遷移したとき、又は、携帯端末装置１が一のアクセスポイントに帰属した状態からいずれのアクセスポイントにも帰属していない状態（圏外状態）に遷移したとき、携帯端末装置１のアクセスポイントへ帰属状態が変化する。画面ロック解除セキュリティが有効に設定されると、携帯端末装置１は画面ロック解除セキュリティ無効状態Ｓ２０から画面ロック解除セキュリティ有効状態Ｓ１０に遷移する。尚、アクセスポイント指定情報５１に対応するアクセスポイントは、指定アクセスポイント（指定ＡＰ）と称される場合がある。
【００２８】
＜実施の形態１の効果＞
本実施の形態によれば、セキュリティと利便性の両方が優れた携帯端末装置、画面ロック制御方法、及びプログラムが提供される。具体的には、携帯端末装置１が指定アクセスポイントに帰属中にユーザ認証に基づいて画面ロックが解除された後は、携帯端末装置１のアクセスポイント帰属状態が変化しないかぎり画面ロックを解除するためのユーザ認証が不要であるので、利便性が優れている。例えば、ユーザが自分の席で携帯端末装置１を使用する場合、一度ユーザ認証により画面ロックを解除した後は、ユーザ認証なしで画面ロックを解除することができる。また、携帯端末装置１のアクセスポイント帰属状態が変化した後に初めて画面ロックを解除する場合はユーザ認証が必要であるので、セキュリティが優れている。例えば、ユーザの席から携帯端末装置１が持ち出された場合、画面ロック解除セキュリティが有効に設定されるので、ユーザ以外の者が携帯端末装置１を操作することが防止される。したがって、携帯端末装置１を紛失した場合の情報漏えいが防がれる。
【００２９】
＜実施の形態２＞
次に、実施の形態２について説明する。以下の説明において、実施の形態１と共通する事項及び実施の形態１から自明な事項の説明は省略される場合がある。
【００３０】
＜実施の形態２の構成＞
図３を参照して、実施の形態３にかかる携帯端末装置１の構成を説明する。携帯端末装置１は、無線通信部２と、タッチパネル８と、電源ボタン１００と、タイマー部７０と、ＣＰＵ１０と、記憶部５とを備える。無線通信部２、タイマー部７０、及び記憶部５は、それぞれ、無線通信手段２、タイマー手段７０、及び記憶手段５と称される場合がある。ＣＰＵ１０は、ＣＰＵ部１０と称される場合がある。無線通信部２は、無線ＬＡＮ信号を送受信する機能を有する。無線通信部２は、アンテナ２０と、ＷＬＡＮ無線部３０と、ベースバンド部４０を備える。アンテナ２０は、無線ＬＡＮ信号の電波を送受信する。ＷＬＡＮ無線部３０は、無線ＬＡＮ信号の変復調を行う。ベースバンド部４０は、無線ＬＡＮ信号のベースバンド処理を行う。送信信号は、ＣＰＵ１０から出力され、ベースバンド部４０、ＷＬＡＮ無線部３０、及びアンテナ２０を経由してネットワーク（無線ＬＡＮ）に伝達される。受信信号は、アンテナ２０、ＷＬＡＮ無線部３０、及びベースバンド部４０を経由してＣＰＵ１０に伝達される。ＣＰＵ１０は受信信号を解析する。
【００３１】
タッチパネル８は、表示部８０と、入力部９０とを備える。表示部８０及び入力部９０は、それぞれ、表示手段８０及び入力手段９０と称される場合がある。表示部８０は、液晶ディスプレイ（ＬＣＤ：Ｌｉｑｕｉｄ  Ｃｒｙｓｔａｌ  Ｄｉｓｐｌａｙ）や有機ＥＬディスプレイ（ＯＥＬＤ：Ｏｒｇａｎｉｃ  Ｅｌｅｃｔｒｏｌｕｍｉｎｅｓｃｅｎｃｅ  Ｄｉｓｐｌａｙ）のような表示装置である。表示部８０は、ＣＰＵ１０が出力した信号に基づいて画面表示を行う。入力部９０は、タッチパッドのような入力装置である。入力部９０は、表示部８０の表示画面に対する操作に基づいて入力信号を生成し、入力信号をＣＰＵ１０に出力する。携帯端末装置１の通常使用が可能なとき（タッチパネル８に画面ロックが設定されていないとき）、例えば、入力部９０は、表示部８０に表示されたアイコンに対する操作を検出し、アイコンに対する操作を示す入力信号をＣＰＵ１０に出力する。ＣＰＵ１０は、入力信号に基づいてそのアイコンに対応付けられた処理（例えば、表示部８０に表示される内容の更新）を実行する。
【００３２】
記憶部５は、不揮発メモリ部５０と、メモリ部６０とを備える。不揮発メモリ部５０は、アクセスポイント指定情報５１と、ユーザ認証情報５２と、画面ロック解除セキュリティ設定情報５３と、無操作タイマー設定値５４と、アクセスポイント識別情報５５とを記憶する。メモリ部６０は、プログラム６１を記憶する。アクセスポイント指定情報５１は、携帯端末装置１が通常利用する特定のネットワーク（無線ＬＡＮ）を識別する情報としてのＥＳＳ−ＩＤ（Ｅｘｔｅｎｄｅｄ  Ｓｅｒｖｉｃｅ  Ｓｅｔ−Ｉｄｅｎｔｉｆｉｅｒ）である。したがって、アクセスポイント指定情報５１は、携帯端末装置１が通常利用するネットワークに属するアクセスポイントを指定する。アクセスポイント指定情報５１は、携帯端末装置１が工場から出荷される際に、固定値として不揮発メモリ部５０に書き込まれる。あるいは、ユーザがアクセスポイント指定情報５１を自由に設定できるように携帯端末装置１を構成してもよい。
【００３３】
ユーザ認証情報５２は、ユーザ認証を行うための情報としてのパスワードである。画面ロック解除セキュリティ設定情報５３は、画面ロック解除セキュリティの設定状態（有効又は無効）を示す情報である。無操作タイマー設定値５４は、携帯端末装置１を動作状態からスタンバイ状態に遷移させるかどうかの判定に用いられる。ここで、動作状態は、表示部８０が消灯されない状態である。スタンバイ状態は、表示部８０が消灯され、携帯端末装置１の内部回路の消費電流が低減される省電力状態である。アクセスポイント識別情報５５は、アクセスポイントを識別する情報としてのＢＳＳ−ＩＤ（Ｂａｓｉｃ  Ｓｅｒｖｉｃｅ  Ｓｅｔ−Ｉｄｅｎｔｉｆｉｅｒ）である。
【００３４】
タイマー部７０は、ＣＰＵ１０によって制御されて携帯端末装置１がユーザによって操作されない無操作時間を計測し、無操作時間が無操作タイマー設定値５４を超えたかどうかを判定する。ＣＰＵ１０は、無操作タイマー設定値５４をタイマー部７０に設定する。タイマー部７０は、ＣＰＵ１０からの指示により無操作時間の計測を開始する。タイマー部７０は、無操作時間が無操作タイマー設定値５４を超えると（無操作タイムアウト）、そのことをＣＰＵ１０に通知する。
【００３５】
電源ボタン１００は、携帯端末装置１の電源をオン及びオフするために用いられる。携帯端末装置１の電源がオン状態のときに電源ボタン１００が長押しされると、携帯端末装置１の電源がオフされる。携帯端末装置１の電源がオフ状態のときに電源ボタン１００が長押しされると、携帯端末装置１の電源がオンされる。電源ボタン１００は、携帯端末装置１のスタンバイ状態を解除して動作状態に遷移させるためのスタンバイ解除ボタンとしても機能する。携帯端末装置１がスタンバイ状態のときに電源ボタン１００が短押しされると、携帯端末装置１がスタンバイ状態から動作状態に遷移する。
【００３６】
ＣＰＵ１０は、無線通信部２、タッチパネル８、タイマー部７０、記憶部５を制御する。ＣＰＵ１０は、プログラム６１に基づいて、画面ロック制御部１１、画面ロック解除セキュリティ設定部１２、ユーザ認証部１３、接続管理部１４、スタンバイ制御部１５を実現する。画面ロック制御部１１、画面ロック解除セキュリティ設定部１２、ユーザ認証部１３、接続管理部１４、及びスタンバイ制御部１５は、それぞれ、画面ロック制御手段１１、画面ロック解除セキュリティ設定手段１２、ユーザ認証手段１３、接続管理手段１４、及びスタンバイ制御手段１５と称される場合がある。画面ロック制御部１１は、タッチパネル８の画面ロックの設定及び解除を行う。画面ロック解除セキュリティ設定部１２は、画面ロック解除セキュリティ設定情報５３を有効と無効の間で変更する。ユーザ認証部１３は、ユーザ認証情報５２に基づいてユーザ認証を実行する。接続管理部１４は、携帯端末装置１とネットワーク（無線ＬＡＮ）との接続を管理する。接続管理部１４は、無線通信部２が受信した無線ＬＡＮ信号を解析し、携帯端末装置１が接続しているネットワーク及びアクセスポイントを判定する。
【００３７】
スタンバイ制御部１５は、携帯端末装置１の動作状態とスタンバイ状態の間の遷移を制御する。スタンバイ制御部１５は、無操作時間が無操作タイマー設定値５４を超えたことをタイマー部７０から通知されると、携帯端末装置１を動作状態からスタンバイ状態に自動的に遷移させる制御を実行する。携帯端末装置１がスタンバイ状態に遷移することで、ユーザが携帯端末装置１を操作しない状態における消費電流が低減される。スタンバイ状態において電源ボタン１００が操作（短押し）されると、スタンバイ制御部１５は携帯端末装置１を動作状態に遷移させる。そのとき、ＣＰＵ１０は、表示部８０に状況に応じたデータ表示を行わせる。
【００３８】
尚、画面ロック制御部１１、画面ロック解除セキュリティ設定部１２、ユーザ認証部１３、接続管理部１４、及びスタンバイ制御部１５は、専用回路として提供されてもよい。図３では、後述する画面ロック制御方法に関係しない機能は省略されている。
【００３９】
＜実施の形態２の動作＞
図４を参照して、実施の形態２にかかる携帯端末装置１の画面ロック制御方法を説明する。図４は、実施の形態２にかかる携帯端末装置１の状態遷移図である。携帯端末装置１は、画面アンロック状態Ｓ１と、スタンバイ状態Ｓ２と、ユーザ認証情報入力待ち状態Ｓ３と、電源オフ状態Ｓ４と、画面アンロック状態Ｓ５と、スタンバイ状態Ｓ６をとることができる。ここで、画面アンロック状態Ｓ１、スタンバイ状態Ｓ２、及びユーザ認証情報入力待ち状態Ｓ３は、画面ロック解除セキュリティ有効状態Ｓ１０である。画面アンロック状態Ｓ５及びスタンバイ状態Ｓ６は、画面ロック解除セキュリティ無効状態Ｓ２０である。画面アンロック状態Ｓ１、ユーザ認証情報入力待ち状態Ｓ３、及び画面アンロック状態Ｓ５は、表示部８０が消灯されない動作状態である。スタンバイ状態Ｓ２及びＳ６は、表示部８０が消灯されるスタンバイ状態である。
【００４０】
（状態Ｓ４から状態Ｓ３への遷移）
電源オフ状態Ｓ４において電源オン操作が行われると、携帯端末装置１が起動し、携帯端末装置１はユーザ認証情報入力待ち状態Ｓ３に遷移する。電源オン操作は、具体的には、電源ボタン１００の操作（長押し）である。携帯端末装置１の起動時に、画面ロック解除セキュリティ設定部１２が画面ロック解除セキュリティ設定情報５３を「有効」に初期化して画面ロック解除セキュリティを有効に設定し、画面ロック制御部１１がタッチパネル８に画面ロックを設定する。接続管理部１４は、アクセスポイント識別情報５５を初期化して初期値に設定する。
【００４１】
（状態Ｓ３）
携帯端末装置１がユーザ認証情報入力待ち状態Ｓ３に遷移すると、表示部８０は、ユーザ認証情報の入力を要求するユーザ認証情報入力画面８１を表示する。携帯端末装置１がアクセスポイントに帰属している場合、無線通信部２は、そのアクセスポイントが送信した無線ＬＡＮ信号を受信する。接続管理部１４は、その無線ＬＡＮ信号を解析してそのアクセスポイントが属するネットワークのＥＳＳ−ＩＤとそのアクセスポイントを識別するＢＳＳ−ＩＤを取得する。ＢＳＳ−ＩＤは、例えば、そのアクセスポイントのＭＡＣ（Ｍｅｄｉａ  Ａｃｃｅｓｓ  Ｃｏｎｔｒｏｌ）アドレスである。接続管理部１４は、無線ＬＡＮ信号から取得したＥＳＳ−ＩＤ及びアクセスポイント指定情報５１に基づいて、そのアクセスポイントがアクセスポイント指定情報５１に対応する指定アクセスポイントかどうかを判定する。タイマー部７０は、携帯端末装置１がユーザによって操作されない無操作時間を計測し、無操作時間が無操作タイマー設定値５４を超えたかどうかを判定する。
【００４２】
図５は、ユーザ認証情報入力画面８１を表示中の携帯端末装置１の外観を示している。ユーザ認証情報入力画面８１は、ユーザ認証情報入力エリア８１ａと、キー表示エリア８１ｂとを含む。尚、電源ボタン１００は、タッチパネル８とは別に設けられる。ユーザは、キー表示エリア８１ｂに表示されたキーを操作してユーザ認証情報入力エリア８１ａにユーザ認証情報としてのパスワードを入力する。タッチパネル８の入力部９０は、このときのユーザの操作に基づいてユーザ認証情報９１を生成する。ユーザ認証情報９１は、入力ユーザ認証情報９１と称される場合がある。ユーザ認証部１３は、登録ユーザ認証情報５２及び入力ユーザ認証情報９１に基づいて、ユーザ認証を実行する。ユーザ認証が不成功の場合、携帯端末装置１は、ユーザ認証情報入力待ち状態Ｓ３のままである。
【００４３】
（状態Ｓ３から状態Ｓ１への遷移）
携帯端末装置１がアクセスポイント指定情報５１に対応する指定アクセスポイントに帰属中以外のときにユーザ認証が成功した場合、携帯端末措置１はユーザ認証情報入力待ち状態Ｓ３から画面アンロック状態Ｓ１へ遷移する。このとき、画面ロック制御部１１は、タッチパネル８の画面ロックを解除する。ここで、指定アクセスポイントに帰属中以外とは、携帯端末装置１が指定アクセスポイント以外のアクセスポイントに帰属中、又は携帯端末装置１がいずれのアクセスポイントにも帰属していない状態（圏外状態）である。
【００４４】
（状態Ｓ３から状態Ｓ５への遷移）
携帯端末装置１がアクセスポイント指定情報５１に対応する指定アクセスポイントに帰属中にユーザ認証が成功した場合、携帯端末措置１はユーザ認証情報入力待ち状態Ｓ３から画面アンロック状態Ｓ５へ遷移する。このとき、画面ロック制御部１１がタッチパネル８の画面ロックを解除する。画面ロック解除セキュリティ設定部１２が画面ロック解除セキュリティ設定情報５３を「無効」に変更して画面ロック解除セキュリティを無効に設定する。接続管理部１４は、ユーザ認証が成功したときに携帯端末装置１が帰属している指定アクセスポイントを識別するＢＳＳ−ＩＤでアクセスポイント識別情報５５を更新する。
【００４５】
（状態Ｓ３から状態Ｓ２への遷移）
ユーザ認証情報入力待ち状態Ｓ３において、無操作時間が無操作タイマー設定値５４を超えると（無操作タイムアウト）、スタンバイ制御部１５が携帯端末装置１をユーザ認証情報入力待ち状態Ｓ３からスタンバイ状態Ｓ２へ遷移させる。
【００４６】
（状態Ｓ１）
画面アンロック状態Ｓ１において、タッチパネル８に画面ロックが設定されていないので、携帯端末装置１の通常使用が可能である。例えば、携帯端末装置１に格納されている電話帳やメール情報を利用することができる。タイマー部７０は、携帯端末装置１がユーザによって操作されない無操作時間を計測し、無操作時間が無操作タイマー設定値５４を超えたかどうかを判定する。
【００４７】
（状態Ｓ１から状態Ｓ２への遷移）
画面アンロック状態Ｓ１において無操作時間が無操作タイマー設定値５４を超えると（無操作タイムアウト）、スタンバイ制御部１５が携帯端末装置１をスタンバイ状態に遷移させ、画面ロック制御部１１がタッチパネル８に画面ロックを設定する。ここで、画面ロック解除セキュリティ設定情報５３が「有効」であるので、スタンバイ制御部１５は携帯端末装置１をスタンバイ状態Ｓ２へ遷移させる。
【００４８】
（状態Ｓ２）
スタンバイ状態Ｓ２では、表示部８０が消灯され、携帯端末装置１の内部回路の消費電流が低減され、画面ロックを解除するための操作以外の操作ができないようにタッチパネル８の機能が制限される。
【００４９】
（状態Ｓ２から状態Ｓ３への遷移）
スタンバイ状態Ｓ２においてスタンバイ解除操作が実行されると、スタンバイ制御部１５が携帯端末装置１を動作状態に遷移させる。スタンバイ解除操作は、例えば、電源ボタン１００の操作（短押し）である。ここで、画面ロック解除セキュリティ設定情報５３が「有効」であるので、画面ロック制御部１１は、携帯端末装置１をユーザ認証情報入力待ち状態Ｓ３へ遷移させる。
【００５０】
（状態Ｓ５）
画面アンロック状態Ｓ５において、タッチパネル８に画面ロックが設定されていないので、携帯端末装置１の通常使用が可能である。例えば、携帯端末装置１に格納されている電話帳やメール情報を利用することができる。タイマー部７０は、携帯端末装置１がユーザによって操作されない無操作時間を計測し、無操作時間が無操作タイマー設定値５４を超えたかどうかを判定する。更に、接続管理部１４は、携帯端末装置１のアクセスポイント帰属状態を監視する。接続管理部１４は、携帯端末装置１がアクセスポイントに帰属しているかどうかを監視する。携帯端末装置１がアクセスポイントに帰属している場合、接続管理部１４は、無線通信部２０がそのアクセスポイントから受信した無線ＬＡＮ信号を解析してそのアクセスポイントを識別するＢＳＳ−ＩＤを取得する。接続管理部１４は、そのＢＳＳ−ＩＤとアクセスポイント識別情報５５とを比較することで、携帯端末装置１がユーザ認証情報入力待ち状態Ｓ３から画面アンロック状態Ｓ５に遷移したときに帰属していた指定アクセスポイントに帰属した状態から他のアクセスポイントに帰属した状態に遷移したかどうかを監視する。
【００５１】
（状態Ｓ５から状態Ｓ６への遷移）
画面アンロック状態Ｓ５において無操作時間が無操作タイマー設定値５４を超えると（無操作タイムアウト）、スタンバイ制御部１５が携帯端末装置１をスタンバイ状態へ遷移させ、画面ロック制御部１１がタッチパネル８に画面ロックを設定する。ここで、画面ロック解除セキュリティ設定情報５３が「無効」であるので、スタンバイ制御部１５は携帯端末装置１をスタンバイ状態Ｓ６へ遷移させる。
【００５２】
（状態Ｓ５から状態Ｓ１への遷移）
画面アンロック状態Ｓ５において接続管理部１４が携帯端末装置１のアクセスポイント帰属状態が変化したと判定すると、携帯端末装置１は画面アンロック状態Ｓ１に遷移する。接続管理部１４は、携帯端末装置１がユーザ認証情報入力待ち状態Ｓ３から画面アンロック状態Ｓ５に遷移したときに帰属していた指定アクセスポイントに帰属した状態から他のアクセスポイントに帰属した状態に遷移した場合、及び、携帯端末装置１がその指定アクセスポイントに帰属した状態からいずれのアクセスポイントにも帰属しない状態に遷移した場合、携帯端末装置１のアクセスポイント帰属状態が変化したと判定する。画面アンロック状態Ｓ５から画面アンロック状態Ｓ１に遷移するとき、画面ロック解除セキュリティ設定部１２は、画面ロック解除セキュリティ設定情報５３を「有効」に変更して画面ロック解除セキュリティを有効に設定する。接続管理部１４がアクセスポイント識別情報５５を初期化する。
【００５３】
（状態６）
スタンバイ状態Ｓ６では、表示部８０が消灯され、携帯端末装置１の内部回路の消費電流が低減され、画面ロックを解除するための操作以外の操作ができないようにタッチパネル８の機能が制限される。接続管理部１４は、携帯端末装置１のアクセスポイント帰属状態を監視する。スタンバイ状態Ｓ６におけるアクセスポイント帰属状態の監視は、画面アンロック状態Ｓ５におけるアクセスポイント帰属状態の監視と同様である。
【００５４】
（状態Ｓ６から状態Ｓ２への遷移）
スタンバイ状態Ｓ６において接続管理部１４が携帯端末装置１のアクセスポイント帰属状態が変化したと判定すると、携帯端末装置１はスタンバイ状態Ｓ２に遷移する。スタンバイ状態６からスタンバイ状態Ｓ２に遷移する際のアクセスポイント帰属状態が変化したとの判定は、画面アンロック状態Ｓ５から画面アンロック状態Ｓ１に遷移する際のアクセスポイント帰属状態が変化したとの判定と同様である。スタンバイ状態Ｓ６からスタンバイ状態Ｓ２に遷移するとき、画面ロック解除セキュリティ設定部１２は、画面ロック解除セキュリティ設定情報５３を「有効」に変更して画面ロック解除セキュリティを有効に設定する。接続管理部１４がアクセスポイント識別情報５５を初期化する。
【００５５】
（状態Ｓ６から状態Ｓ５への遷移）
スタンバイ状態Ｓ６においてスタンバイ解除操作が実行されると、スタンバイ制御部１５が携帯端末装置１を動作状態に遷移させる。スタンバイ解除操作は、例えば、電源ボタン１００の操作（短押し）である。ここで、画面ロック解除セキュリティ設定情報５３が「無効」であるので、画面ロック制御部１１は、ユーザ認証なしでタッチパネル８の画面ロックを解除して携帯端末装置１を画面アンロック状態Ｓ５へ遷移させる。画面ロック解除セキュリティが無効に設定されているため、表示部８０はユーザ認証情報入力画面８１を表示しない。
【００５６】
上述したように、状態Ｓ１〜Ｓ３において、画面ロック解除セキュリティ設定情報５３が「有効」である。画面ロック解除セキュリティ設定情報５３が「有効」のとき、画面ロック解除セキュリティは有効に設定されている。状態Ｓ５及びＳ６において、画面ロック解除セキュリティ設定情報５３が「無効」である。画面ロック解除セキュリティ設定情報５３が「無効」のとき、画面ロック解除セキュリティは無効に設定されている。状態Ｓ１及びＳ５は、タッチパネル８に画面ロックが設定されていない状態である。状態Ｓ２、Ｓ３、及びＳ６は、タッチパネル８に画面ロックが設定された状態である。
【００５７】
＜実施の形態２の動作の具体例＞
次に、具体例を用いて携帯端末装置１の動作を説明する。以下において、携帯端末装置１がＥＳＳ−ＩＤ「ＮＷ１」のネットワークに登録されており、アクセスポイント指定情報５１としてＥＳＳ−ＩＤ「ＮＷ１」が記憶されている。携帯端末装置１は、通常このネットワークを利用する。
【００５８】
＜具体例１＞
図６を参照して、携帯端末装置１がアクセスポイント指定情報５１に対応するアクセスポイントＡＰ１のセルＡ１内から圏外に移動された場合の動作を説明する。ここで、アクセスポイントＡＰ１は、ＥＳＳ−ＩＤ「ＮＷ１」のネットワークに属している。アクセスポイントＡＰ１を識別するＢＳＳ−ＩＤは「ａｐ１」である。尚、セルＡ１は、アクセスポイントＡＰ１が出力した電波が届く範囲である。セルＡ１内では、携帯端末装置１はアクセスＡＰ１に帰属することができる。圏外は、いずれのアクセスポイントが出力した電波も届かない範囲である。圏外では、携帯端末装置１はいずれのアクセスポイントにも帰属することができない。
【００５９】
（セルＡ１内における状態Ｓ４から状態Ｓ３への遷移）
セルＡ１内で電源オン操作が行われると、携帯端末装置１が起動し、携帯端末装置１は電源オフ状態Ｓ４からユーザ認証情報入力待ち状態Ｓ３に遷移する。携帯端末装置１の起動時に、画面ロック解除セキュリティ設定部１２が画面ロック解除セキュリティ設定情報５３を「有効」に初期化して画面ロック解除セキュリティを有効に設定し、画面ロック制御部１１がタッチパネル８に画面ロックを設定する。接続管理部１４は、アクセスポイント識別情報５５を初期化する。
【００６０】
（セルＡ１内における状態Ｓ３）
携帯端末装置１は、アクセスポイントＡＰ１に帰属する。表示部８０は、ユーザ認証情報の入力を要求するユーザ認証情報入力画面８１を表示する。無線通信部２０は、アクセスポイントＡＰ１が送信した無線ＬＡＮ信号を受信する。接続管理部１４は、その無線ＬＡＮ信号を解析してＥＳＳ−ＩＤ「ＮＷ１」及びＢＳＳ−ＩＤ「ａｐ１」を取得する。接続管理部１４は、その無線ＬＡＮ信号から取得したＥＳＳ−ＩＤ「ＮＷ１」及びアクセスポイント指定情報５１に基づいて、アクセスポイントＡＰ１がアクセスポイント指定情報５１に対応すると判定する。タイマー部７０は、携帯端末装置１がユーザによって操作されない無操作時間を計測し、無操作時間が無操作タイマー設定値５４を超えたかどうかを判定する。
【００６１】
入力部９０は、ユーザ認証情報入力画面８１に対するユーザの操作に基づいてユーザ認証情報９１を生成する。ユーザ認証部１３は、登録ユーザ認証情報５２及び入力ユーザ認証情報９１に基づいて、ユーザ認証を実行する。ユーザ認証が不成功の場合、携帯端末装置１は、ユーザ認証情報入力待ち状態Ｓ３のままである。
【００６２】
（セルＡ１内における状態Ｓ３から状態Ｓ２への遷移）
ユーザ認証情報入力待ち状態Ｓ３において、無操作時間が無操作タイマー設定値５４を超えると（無操作タイムアウト）、スタンバイ制御部１５が携帯端末装置１をユーザ認証情報入力待ち状態Ｓ３からスタンバイ状態Ｓ２へ遷移させる。
【００６３】
（セルＡ１内における状態Ｓ２）
スタンバイ状態Ｓ２では、表示部８０が消灯され、携帯端末装置１の内部回路の消費電流が低減され、画面ロックを解除するための操作以外の操作ができないようにタッチパネル８の機能が制限される。
【００６４】
（セルＡ１内における状態Ｓ２から状態Ｓ３への遷移）
スタンバイ状態Ｓ２においてスタンバイ解除操作が実行されると、スタンバイ制御部１５が携帯端末装置１を動作状態に遷移させる。ここで、画面ロック解除セキュリティ設定情報５３が「有効」であるので、画面ロック制御部１１は、携帯端末装置１をユーザ認証情報入力待ち状態Ｓ３へ遷移させる。
【００６５】
（セルＡ１内における状態Ｓ３から状態Ｓ５への遷移）
携帯端末装置１がアクセスポイントＡＰ１に帰属中にユーザ認証が成功した場合、アクセスポイントＡＰ１がアクセスポイント指定情報５１に対応するので、携帯端末措置１はユーザ認証情報入力待ち状態Ｓ３から画面アンロック状態Ｓ５へ遷移する。このとき、画面ロック制御部１１がタッチパネル８の画面ロックを解除する。画面ロック解除セキュリティ設定部１２が画面ロック解除セキュリティ設定情報５３を「無効」に変更して画面ロック解除セキュリティを無効に設定する。接続管理部１４は、ユーザ認証が成功したときに携帯端末装置１が帰属しているアクセスポイントＡＰ１を識別するＢＳＳ−ＩＤ「ａｐ１」でアクセスポイント識別情報５５を更新する。
【００６６】
（セルＡ１内における状態Ｓ５）
画面アンロック状態Ｓ５において、タッチパネル８に画面ロックが設定されていないので、携帯端末装置１の通常使用が可能である。タイマー部７０は、携帯端末装置１がユーザによって操作されない無操作時間を計測し、無操作時間が無操作タイマー設定値５４を超えたかどうかを判定する。更に、接続管理部１４は、携帯端末装置１のアクセスポイント帰属状態を監視する。接続管理部１４は、携帯端末装置１がアクセスポイントＡＰ１に帰属しているかどうかを監視する。
【００６７】
（セルＡ１内における状態Ｓ５から状態Ｓ６への遷移）
画面アンロック状態Ｓ５において無操作時間が無操作タイマー設定値５４を超えると（無操作タイムアウト）、スタンバイ制御部１５が携帯端末装置１をスタンバイ状態へ遷移させ、画面ロック制御部１１がタッチパネル８に画面ロックを設定する。ここで、画面ロック解除セキュリティ設定情報５３が「無効」であるので、スタンバイ制御部１５は携帯端末装置１をスタンバイ状態Ｓ６へ遷移させる。
【００６８】
（セルＡ１内における状態６）
スタンバイ状態Ｓ６では、表示部８０が消灯され、携帯端末装置１の内部回路の消費電流が低減され、画面ロックを解除するための操作以外の操作ができないようにタッチパネル８の機能が制限される。接続管理部１４は、携帯端末装置１のアクセスポイント帰属状態を監視する。接続管理部１４は、携帯端末装置１がアクセスポイントＡＰ１に帰属しているかどうかを監視する。
【００６９】
（セルＡ１内における状態Ｓ６から状態Ｓ５への遷移）
スタンバイ状態Ｓ６においてスタンバイ解除操作が実行されると、スタンバイ制御部１５が携帯端末装置１を動作状態に遷移させる。ここで、画面ロック解除セキュリティ設定情報５３が「無効」であるので、画面ロック制御部１１は、ユーザ認証なしでタッチパネル８の画面ロックを解除して携帯端末装置１を画面アンロック状態Ｓ５へ遷移させる。画面ロック解除セキュリティが無効に設定されているため、表示部８０はユーザ認証情報入力画面８１を表示しない。
【００７０】
（携帯端末装置１がセルＡ１内から圏外へ移動したことによる状態Ｓ６から状態Ｓ２への遷移）
スタンバイ状態Ｓ６の携帯端末装置１がセルＡ１内から圏外に移動されると、携帯端末装置１はアクセスポイントＡＰ１に帰属した状態からいずれのアクセスポイントにも帰属しない状態に遷移する。すると、接続管理部１４が携帯端末装置１のアクセスポイント帰属状態が変化したと判定し、携帯端末装置１はスタンバイ状態Ｓ２に遷移する。スタンバイ状態Ｓ６からスタンバイ状態Ｓ２に遷移するとき、画面ロック解除セキュリティ設定部１２は、画面ロック解除セキュリティ設定情報５３を「有効」に変更して画面ロック解除セキュリティを有効に設定する。接続管理部１４がアクセスポイント識別情報５５を初期化する。
【００７１】
（携帯端末装置１がセルＡ１内から圏外へ移動したことによる状態Ｓ５から状態Ｓ１への遷移）
画面アンロック状態Ｓ５の携帯端末装置１がセルＡ１内から圏外に移動されると、携帯端末装置１はアクセスポイントＡＰ１に帰属した状態からいずれのアクセスポイントにも帰属しない状態に遷移する。すると、接続管理部１４が携帯端末装置１のアクセスポイント帰属状態が変化したと判定し、携帯端末装置１は画面アンロック状態Ｓ１に遷移する。画面アンロック状態Ｓ５から画面アンロック状態Ｓ１に遷移するとき、画面ロック解除セキュリティ設定部１２は、画面ロック解除セキュリティ設定情報５３を「有効」に変更して画面ロック解除セキュリティを有効に設定する。接続管理部１４がアクセスポイント識別情報５５を初期化する。
【００７２】
（圏外における状態Ｓ１）
画面アンロック状態Ｓ１において、タッチパネル８に画面ロックが設定されていないので、携帯端末装置１の通常使用が可能である。タイマー部７０は、携帯端末装置１がユーザによって操作されない無操作時間を計測し、無操作時間が無操作タイマー設定値５４を超えたかどうかを判定する。
【００７３】
（圏外における状態Ｓ１から状態Ｓ２への遷移）
画面アンロック状態Ｓ１において無操作時間が無操作タイマー設定値５４を超えると（無操作タイムアウト）、スタンバイ制御部１５が携帯端末装置１をスタンバイ状態へ遷移させ、画面ロック制御部１１がタッチパネル８に画面ロックを設定する。ここで、画面ロック解除セキュリティ設定情報５３が「有効」であるので、スタンバイ制御部１５は携帯端末装置１をスタンバイ状態Ｓ２へ遷移させる。
【００７４】
尚、携帯端末装置１が圏外にある場合のスタンバイ状態Ｓ２、スタンバイ状態Ｓ２からユーザ認証情報入力待ち状態Ｓ３への遷移、及びーザ認証情報入力待ち状態Ｓ３からスタンバイ状態Ｓ２への遷移は、携帯端末装置１がセルＡ１内にある場合と同様である。ただし、ユーザ認証情報入力待ち状態Ｓ３及びユーザ認証情報入力待ち状態Ｓ３においてユーザ認証が成功した場合の動作は、携帯端末装置１がセルＡ１内にある場合と圏外にある場合とで異なる。
【００７５】
（圏外における状態Ｓ３）
携帯端末装置１は、いずれのアクセスポイントにも帰属しない。表示部８０は、ユーザ認証情報の入力を要求するユーザ認証情報入力画面８１を表示する。接続管理部１４は、携帯端末装置１がアクセスポイント指定情報５１に対応するアクセスポイントに帰属していないと判定する。タイマー部７０は、携帯端末装置１がユーザによって操作されない無操作時間を計測し、無操作時間が無操作タイマー設定値５４を超えたかどうかを判定する。入力部９０は、ユーザ認証情報入力画面８１に対するユーザの操作に基づいてユーザ認証情報９１を生成する。登録ユーザ認証情報５２及び入力ユーザ認証情報９１に基づいて、ユーザ認証を実行する。ユーザ認証が不成功の場合、携帯端末装置１は、ユーザ認証情報入力待ち状態Ｓ３のままである。
【００７６】
（圏外における状態Ｓ３から状態Ｓ１への遷移）
携帯端末装置１がいずれのアクセスポイントにも帰属していないときにユーザ認証が成功すると、携帯端末措置１はユーザ認証情報入力待ち状態Ｓ３から画面アンロック状態Ｓ１へ遷移する。このとき、画面ロック制御部１１は、タッチパネル８の画面ロックを解除する。画面ロック解除セキュリティ設定部１２が画面ロック解除セキュリティ設定情報５３を変更しないので、画面ロック解除セキュリティは有効に設定されたままである。接続管理部１４がアクセスポイント識別情報５５を更新しないので、アクセスポイント識別情報は初期値のままである。
【００７７】
＜具体例１において奏される実施の形態２の効果＞
したがって、アクセスポイント指定情報５１に対応するアクセスポイントＡＰ１のセルＡ１内では、一度パスワードを入力することで、その後はパスワードを入力せずに携帯端末装置１を使用することができる。例えば、ユーザがセルＡ１内の自分の所属部門で携帯端末装置１を使用する場合、パスワード入力が一度だけでよいので利便性が優れている。一方、スタンバイ状態Ｓ６の携帯端末装置１がセルＡ１内から圏外に移動されると、携帯端末装置１がスタンバイ状態Ｓ２に遷移する。このとき、画面ロック解除セキュリティが有効に設定される。スタンバイ状態Ｓ２の携帯端末装置１の画面ロックを解除するためには、ユーザ認証情報入力待ち状態Ｓ３におけるパスワード入力が必要である。例えば、ユーザが社外（圏外）で携帯端末装置１を紛失した場合及びユーザが自分の所属部門（セルＡ１内）で紛失した携帯端末装置１が他者によって社外（圏外）に持ち出された場合、画面ロックの解除にパスワード入力が毎回必要となるため、携帯端末装置１に格納された情報が流出することが防がれる。
【００７８】
＜具体例２＞
図７を参照して、携帯端末装置１がアクセスポイントＡＰ１のセルＡ１内からアクセスポイントＡＰ２のセルＡ２内に移動された場合の動作を説明する。ここで、アクセスポイントＡＰ２は、ＥＳＳ−ＩＤ「ＮＷ１」のネットワークに属している。アクセスポイントＡＰ２を識別するＢＳＳ−ＩＤは「ａｐ２」である。尚、セルＡ２は、アクセスポイントＡＰ２が出力した電波が届く範囲である。セルＡ２内では、携帯端末装置１はアクセスＡＰ２に帰属することができる。セルＡ１はセルＡ２と部分的に重なっている。セルＡ１及びセルＡ２は、例えば、建物の同一フロアに設定されている。
【００７９】
尚、携帯端末装置１がセルＡ１内にある場合の電源オフ状態Ｓ４からユーザ認証情報入力待ち状態Ｓ３への遷移、ユーザ認証情報入力待ち状態Ｓ３、ユーザ認証情報入力待ち状態Ｓ３からスタンバイ状態Ｓ２への遷移、スタンバイ状態Ｓ２、スタンバイ状態Ｓ２からユーザ認証情報入力待ち状態Ｓ３への遷移、ユーザ認証情報入力待ち状態Ｓ３から画面アンロック状態Ｓ５への遷移、画面アンロック状態Ｓ５、画面アンロック状態Ｓ５からスタンバイ状態Ｓ６への遷移、スタンバイ状態Ｓ６、及びスタンバイ状態Ｓ６から画面アンロック状態Ｓ５への遷移は、上述したとおりである。
【００８０】
（携帯端末装置１がセルＡ１内からセルＡ２内に移動したことによる状態Ｓ５から状態Ｓ１への遷移）
画面アンロック状態Ｓ５の携帯端末装置１がセルＡ１内からセルＡ２内に移動されると、携帯端末装置１はアクセスポイントＡＰ１に帰属した状態からアクセスポイントＡ２に帰属した状態に遷移する。無線通信部２０は、アクセスポイントＡＰ２が送信した無線ＬＡＮ信号を受信する。接続管理部１４は、その無線ＬＡＮ信号を解析してＢＳＳ−ＩＤ「ａｐ２」を取得する。接続管理部１４は、その無線ＬＡＮ信号から取得したＢＳＳ−ＩＤ「ａｐ２」及びアクセスポイント識別情報５５として記憶されたＢＳＳ−ＩＤ「ａｐ１」に基づいて、携帯端末装置１のアクセスポイント帰属状態が変化したと判定する。その結果、携帯端末装置１は画面アンロック状態Ｓ１に遷移する。画面アンロック状態Ｓ５から画面アンロック状態Ｓ１に遷移するとき、画面ロック解除セキュリティ設定部１２は、画面ロック解除セキュリティ設定情報５３を「有効」に変更して画面ロック解除セキュリティを有効に設定する。接続管理部１４がアクセスポイント識別情報５５を初期化する。
【００８１】
（携帯端末装置１がセルＡ１内からセルＡ２内に移動したことによる状態Ｓ６から状態Ｓ２への遷移）
スタンバイ状態Ｓ６の携帯端末装置１がセルＡ１内からセルＡ２内に移動されると、携帯端末装置１はアクセスポイントＡＰ１に帰属した状態からアクセスポイントＡ２に帰属した状態に遷移する。無線通信部２０は、アクセスポイントＡＰ２が送信した無線ＬＡＮ信号を受信する。接続管理部１４は、その無線ＬＡＮ信号を解析してＢＳＳ−ＩＤ「ａｐ２」を取得する。接続管理部１４は、その無線ＬＡＮ信号から取得したＢＳＳ−ＩＤ「ａｐ２」及びアクセスポイント識別情報５５として記憶されたＢＳＳ−ＩＤ「ａｐ１」に基づいて、携帯端末装置１のアクセスポイント帰属状態が変化したと判定する。その結果、携帯端末装置１はスタンバイ状態Ｓ２に遷移する。スタンバイ状態Ｓ６からスタンバイ状態Ｓ２に遷移するとき、画面ロック解除セキュリティ設定部１２は、画面ロック解除セキュリティ設定情報５３を「有効」に変更して画面ロック解除セキュリティを有効に設定する。接続管理部１４がアクセスポイント識別情報５５を初期化する。
【００８２】
尚、携帯端末装置１がセルＡ２内にある場合の画面アンロック状態Ｓ１、及び画面アンロック状態Ｓ１からスタンバイ状態Ｓ２への遷移は、携帯端末装置１が圏外にある場合と同様である。携帯端末装置１がセルＡ２内にある場合のスタンバイ状態Ｓ２、スタンバイ状態Ｓ２からユーザ認証情報入力待ち状態Ｓ３への遷移、及びユーザ認証情報入力待ち状態Ｓ３からスタンバイ状態Ｓ２への遷移は、携帯端末装置１がセルＡ１内にある場合と同様である。ただし、ユーザ認証情報入力待ち状態Ｓ３及びユーザ認証情報入力待ち状態Ｓ３においてユーザ認証が成功した場合の動作は、携帯端末装置１がセルＡ２内にある場合とセルＡ１内にある場合とで異なる。
【００８３】
（セルＡ２内における状態Ｓ３）
携帯端末装置１は、アクセスポイントＡＰ２に帰属している。表示部８０は、ユーザ認証情報の入力を要求するユーザ認証情報入力画面８１を表示する。無線通信部２０は、アクセスポイントＡＰ２が送信した無線ＬＡＮ信号を受信する。接続管理部１４は、その無線ＬＡＮ信号を解析してＥＳＳ−ＩＤ「ＮＷ１」及びＢＳＳ−ＩＤ「ａｐ２」を取得する。接続管理部１４は、その無線ＬＡＮ信号から取得したＥＳＳ−ＩＤ「ＮＷ１」及びアクセスポイント指定情報５１に基づいて、アクセスポイントＡＰ２がアクセスポイント指定情報５１に対応すると判定する。タイマー部７０は、携帯端末装置１がユーザによって操作されない無操作時間を計測し、無操作時間が無操作タイマー設定値５４を超えたかどうかを判定する。すなわち、携帯端末装置１がセルＡ１内にある場合、携帯端末装置１はアクセスポイントＡＰ１に帰属してアクセスポイントＡＰ１からＢＳＳ−ＩＤ「ａｐ１」を取得するが、携帯端末装置１がセルＡ２内にある場合、携帯端末装置１はアクセスポイントＡＰ２に帰属してアクセスポイントＡＰ２からＢＳＳ−ＩＤ「ａｐ２」を取得する。
【００８４】
入力部９０は、ユーザ認証情報入力画面８１に対するユーザの操作に基づいてユーザ認証情報９１を生成する。登録ユーザ認証情報５２及び入力ユーザ認証情報９１に基づいて、ユーザ認証を実行する。ユーザ認証が不成功の場合、携帯端末装置１は、ユーザ認証情報入力待ち状態Ｓ３のままである。
【００８５】
（セルＡ２内における状態Ｓ３から状態Ｓ５への遷移）
携帯端末装置１がアクセスポイントＡＰ２に帰属中にユーザ認証が成功した場合、アクセスポイントＡＰ２がアクセスポイント指定情報５１に対応するので、携帯端末措置１はユーザ認証情報入力待ち状態Ｓ３から画面アンロック状態Ｓ５へ遷移する。このとき、画面ロック制御部１１がタッチパネル８の画面ロックを解除する。画面ロック解除セキュリティ設定部１２が画面ロック解除セキュリティ設定情報５３を「無効」に変更して画面ロック解除セキュリティを無効に設定する。接続管理部１４は、ユーザ認証が成功したときに携帯端末装置１が帰属しているアクセスポイントＡＰ２を識別するＢＳＳ−ＩＤ「ａｐ２」でアクセスポイント識別情報５５を更新する。すなわち、携帯端末装置１がセルＡ１内にある場合にユーザ認証が成功すると、アクセスポイント識別情報５５がＢＳＳ−ＩＤ「ａｐ１」で更新されるが、携帯端末装置１がセルＡ２内にある場合にユーザ認証が成功すると、アクセスポイント識別情報５５がＢＳＳ−ＩＤ「ａｐ２」で更新される。
【００８６】
（セルＡ２内における状態Ｓ５）
画面アンロック状態Ｓ５において、タッチパネル８に画面ロックが設定されていないので、携帯端末装置１の通常使用が可能である。タイマー部７０は、携帯端末装置１がユーザによって操作されない無操作時間を計測し、無操作時間が無操作タイマー設定値５４を超えたかどうかを判定する。更に、接続管理部１４は、携帯端末装置１のアクセスポイント帰属状態を監視する。接続管理部１４は、携帯端末装置１がアクセスポイントＡＰ２に帰属しているかどうかを監視する。尚、セルＡ２内における画面アンロック状態Ｓ５からスタンバイ状態Ｓ６への遷移は、セルＡ１内における画面アンロック状態Ｓ５からスタンバイ状態Ｓ６への遷移と同様である。
【００８７】
（セルＡ２内における状態６）
スタンバイ状態Ｓ６では、表示部８０が消灯され、携帯端末装置１の内部回路の消費電流が低減され、画面ロックを解除するための操作以外の操作ができないようにタッチパネル８の機能が制限される。接続管理部１４は、携帯端末装置１のアクセスポイント帰属状態を監視する。接続管理部１４は、携帯端末装置１がアクセスポイントＡＰ２に帰属しているかどうかを監視する。尚、セルＡ２内におけるスタンバイ状態Ｓ６から画面アンロック状態Ｓ５への遷移は、セルＡ１内におけるスタンバイ状態Ｓ６から画面アンロック状態Ｓ５への遷移と同様である。
【００８８】
＜具体例２において奏される実施の形態２の効果＞
したがって、スタンバイ状態Ｓ６の携帯端末装置１がセルＡ１内からセルＡ２内に移動されると、携帯端末装置１がスタンバイ状態Ｓ２に遷移する。このとき、画面ロック解除セキュリティが有効に設定される。スタンバイ状態Ｓ２の携帯端末装置１の画面ロックを解除するためには、ユーザ認証情報入力待ち状態Ｓ３におけるパスワード入力が必要である。例えば、ユーザが自分の所属部門（セルＡ１内）に放置してスタンバイ状態Ｓ６となった携帯端末装置１を悪意のある他者が他部門（セルＡ２内）に持ち出した場合、画面ロックの解除にパスワード入力が必要となる。そのため、携帯端末装置１に格納された情報が流出することが防がれる。
【００８９】
正規のユーザが携帯端末装置１を自分の所属部門（セルＡ１内）から他部門（セルＡ２内）に持ち出した場合も、次に画面ロックを解除する際にパスワード入力が必要である。しかし、他部門（セルＡ２内）で一度パスワード入力により画面ロックを解除すれば、他部門（セルＡ２内）に留まるかぎり、次回からは画面ロックを解除するためのパスワード入力が不要である。したがって、パスワード入力の煩わしさが低減され、利便性が優れている。
【００９０】
以上、携帯端末装置１が登録されたネットワークのアクセスポイントがアクセスポイントＡＰ１及びＡＰ２の場合を説明したが、そのネットワークのアクセスポイントは、他のアクセスポイントを含んでもよい。他のアクセスポイントは、例えば、アクセスポイントＡＰ１及びＡＰ２によってカバーされる部門のあるフロアの他の部門をカバーするアクセスポイント、アクセスポイントＡＰ１及びＡＰ２によってカバーされる部門のあるフロアとは別のフロアをカバーするアクセスポイント、又は、アクセスポイントＡＰ１及びＡＰ２によってカバーされるフロアのある建物とは別の建物をカバーするアクセスポイントである。
【００９１】
＜具体例３＞
図８を参照して、携帯端末装置１がアクセスポイント指定情報５１に対応しないアクセスポイントＡＰ５のセルＡ５内で使用される場合の動作を説明する。ここで、アクセスポイントＡＰ５は、携帯端末装置１が登録されているネットワーク（ＥＳＳ−ＩＤ「ＮＷ１」のネットワーク）に属しておらず、ＥＳＳ−ＩＤ「ＮＷ２」のネットワークに属している。アクセスポイントＡＰ５を識別するＢＳＳ−ＩＤは「ａｐ５」である。尚、セルＡ５は、アクセスポイントＡＰ５が出力した電波が届く範囲である。尚、セルＡ５内における電源オフ状態Ｓ４からユーザ認証情報入力待ち状態Ｓ３への遷移は、セルＡ１内における電源オフ状態Ｓ４からユーザ認証情報入力待ち状態Ｓ３への遷移と同様である。
【００９２】
（セルＡ５内における状態Ｓ３）
携帯端末装置１は、アクセスポイントＡＰ５に帰属する。表示部８０は、ユーザ認証情報の入力を要求するユーザ認証情報入力画面８１を表示する。無線通信部２０は、アクセスポイントＡＰ５が送信した無線ＬＡＮ信号を受信する。接続管理部１４は、その無線ＬＡＮ信号を解析してＥＳＳ−ＩＤ「ＮＷ２」及びＢＳＳ−ＩＤ「ａｐ５」を取得する。接続管理部１４は、その無線ＬＡＮ信号から取得したＥＳＳ−ＩＤ「ＮＷ２」及びアクセスポイント指定情報５１に基づいて、アクセスポイントＡＰ５がアクセスポイント指定情報５１に対応しないと判定する。タイマー部７０は、携帯端末装置１がユーザによって操作されない無操作時間を計測し、無操作時間が無操作タイマー設定値５４を超えたかどうかを判定する。
【００９３】
入力部９０は、ユーザ認証情報入力画面８１に対するユーザの操作に基づいてユーザ認証情報９１を生成する。登録ユーザ認証情報５２及び入力ユーザ認証情報９１に基づいて、ユーザ認証を実行する。ユーザ認証が不成功の場合、携帯端末装置１は、ユーザ認証情報入力待ち状態Ｓ３のままである。
【００９４】
（セルＡ５内における状態Ｓ３から状態Ｓ１への遷移）
携帯端末装置１がアクセスポイントＡＰ５に帰属中にユーザ認証が成功した場合、アクセスポイントＡＰ５がアクセスポイント指定情報５１に対応しないので、携帯端末措置１はユーザ認証情報入力待ち状態Ｓ３から画面アンロック状態Ｓ１へ遷移する。このとき、画面ロック制御部１１がタッチパネル８の画面ロックを解除する。画面ロック解除セキュリティ設定部１２が画面ロック解除セキュリティ設定情報５３を変更しないので、画面ロック解除セキュリティは有効に設定されたままである。接続管理部１４がアクセスポイント識別情報５５を更新しないので、アクセスポイント識別情報は初期値のままである。
【００９５】
尚、携帯端末装置１がセルＡ５内にある場合の画面アンロック状態Ｓ１、及び画面アンロック状態Ｓ１からスタンバイ状態Ｓ２への遷移は、携帯端末装置１が圏外にある場合と同様である。携帯端末装置１がセルＡ５内にある場合のスタンバイ状態Ｓ２、スタンバイ状態Ｓ２からユーザ認証情報入力待ち状態Ｓ３への遷移、及びユーザ認証情報入力待ち状態Ｓ３からスタンバイ状態Ｓ２への遷移は、携帯端末装置１がセルＡ１内にある場合と同様である。
【００９６】
＜具体例３において奏される実施の形態２の効果＞
したがって、社外（セルＡ５内）で携帯端末装置１を使用する場合、画面ロックの解除にパスワード入力が毎回必要となる。そのため、ユーザが社外（セルＡ５内）で携帯端末装置１を紛失しても、携帯端末装置１に格納された情報が流出することが防がれる。尚、携帯端末装置１がＥＳＳ−ＩＤが「ＮＷ１」のネットワーク以外のネットワークに接続しないように設定されている場合、携帯端末装置１はアクセスポイントＡＰ５に帰属しない。
【００９７】
＜比較例１＞
図９を参照して、比較例１にかかる携帯端末装置の画面ロック制御方法を説明する。比較例１にかかる携帯端末装置においては、画面ロック解除セキュリティが常に有効に設定されている。図９は、比較例１にかかる携帯端末装置の状態遷移図である。比較例１にかかる携帯端末装置は、画面アンロック状態Ｓ１１と、スタンバイ状態Ｓ１２と、ユーザ認証情報入力待ち状態Ｓ１３と、電源オフ状態Ｓ１４をとることができる。画面アンロック状態Ｓ１１及びユーザ認証情報入力待ち状態Ｓ１３は、タッチパネルの表示部が消灯されない動作状態である。スタンバイ状態Ｓ１２では、表示部が消灯される。
【００９８】
（状態Ｓ１４から状態Ｓ１３への遷移）
電源オフ状態Ｓ１４において電源オン操作（電源ボタン長押し）が行われると、携帯端末装置が起動し、携帯端末装置はユーザ認証情報入力待ち状態Ｓ１３に遷移する。このとき、携帯端末装置はタッチパネルに画面ロックを設定する。
【００９９】
（状態Ｓ１３）
携帯端末装置がユーザ認証情報入力待ち状態Ｓ１３に遷移すると、表示部は、ユーザ認証情報の入力を要求するユーザ認証情報入力画面を表示する。タッチパネルの入力部は、ユーザ認証情報入力画面に対するパスワード入力操作に基づいて、入力ユーザ認証情報を生成する。携帯端末装置は、入力ユーザ認証情報と予め登録されている登録ユーザ認証情報とに基づいてユーザ認証を実行する。ユーザ認証が不成功の場合、携帯端末装置は、ユーザ認証情報入力待ち状態Ｓ１３のままである。
【０１００】
（状態Ｓ１３から状態Ｓ１１への遷移）
ユーザ認証が成功した場合、携帯端末措置はユーザ認証情報入力待ち状態Ｓ１３から画面アンロック状態Ｓ１１へ遷移する。このとき、携帯端末装置はタッチパネルの画面ロックを解除する。
【０１０１】
（状態Ｓ１１）
画面アンロック状態Ｓ１１において、タッチパネルに画面ロックが設定されていないので、携帯端末装置の通常使用が可能である。例えば、携帯端末装置に格納されている電話帳やメール情報を利用することができる。ユーザが携帯端末装置の操作をやめると、携帯端末装置はユーザによって操作されない無操作時間を計測し、無操作時間が設定値を超えたかどうかを判定する。
【０１０２】
（状態Ｓ１１から状態Ｓ１２への遷移）
画面アンロック状態Ｓ１１において無操作時間が設定値を超えると（無操作タイムアウト）、携帯端末装置は、スタンバイ状態Ｓ１２へ遷移し、タッチパネルに画面ロックを設定する。画面ロックが設定されると、画面ロックを解除するための操作以外の操作ができないようにタッチパネルの機能が制限される。
【０１０３】
（状態Ｓ１２）
スタンバイ状態Ｓ１２では、表示部が消灯され、携帯端末装置の内部回路の消費電流が低減される
【０１０４】
（状態Ｓ１２から状態Ｓ１３への遷移）
スタンバイ状態Ｓ１２においてスタンバイ解除操作（電源ボタン短押し）が実行されると、携帯端末装置は動作状態であるユーザ認証情報入力待ち状態Ｓ１３へ遷移する。
【０１０５】
＜比較例１と実施の形態の比較＞
比較例１によれば、画面ロックを解除するために毎回パスワードを入力する必要がある。一方、実施の形態１及び２によれば、携帯端末装置１が同一の指定アクセスポイントに帰属し続けるかぎり、一度パスワード入力により画面ロックを解除すれば、次回からは画面ロックを解除するためのパスワード入力が不要になる。したがって、利便性が優れている。
【０１０６】
＜比較例２＞
図１０を参照して、比較例２にかかる携帯端末装置の画面ロック制御方法を説明する。図１０は、比較例２にかかる携帯端末装置の状態遷移図である。比較例２にかかる携帯端末装置は、比較例１の場合と同様に、画面アンロック状態Ｓ１１と、スタンバイ状態Ｓ１２と、ユーザ認証情報入力待ち状態Ｓ１３と、電源オフ状態Ｓ１４をとることができる。ただし、スタンバイ状態Ｓ１２においてスタンバイ解除操作（電源ボタン短押し）が実行された場合の動作が異なる。比較例２にかかる携帯端末装置はアクセスポイント指定情報を記憶している。
【０１０７】
（状態Ｓ１２から状態Ｓ１３への遷移）
スタンバイ状態Ｓ１２においてスタンバイ解除操作が実行されたときに携帯端末装置がアクセスポイント指定情報に対応する指定アクセスポイントに帰属中以外の場合、携帯端末装置はユーザ認証情報入力待ち状態Ｓ１３へ遷移する。
【０１０８】
（状態Ｓ１２から状態Ｓ１１への遷移）
スタンバイ状態Ｓ１２においてスタンバイ解除操作が実行されたときに携帯端末装置がアクセスポイント指定情報に対応する指定アクセスポイントに帰属中の場合、携帯端末装置はユーザ認証なしで画面ロックを解除し、画面アンロック状態Ｓ１１へ遷移する。
【０１０９】
＜比較例２と実施の形態の比較＞
比較例２によれば、指定アクセスポイントのセル内では画面ロックを解除するためのパスワード入力が不要であるので、利便性が優れている。しかしながら、悪意のある他者が携帯端末装置をユーザが所属する部門（例えば、指定アクセスポイントＡＰ１のセルＡ１内）から持ち出して、他部門（例えば、指定アクセスポイントＡＰ２のセルＡ２内）で操作すれば、携帯端末装置に格納された情報にアクセスすることができる。一方、実施の形態１及び２によれば、携帯端末装置１をユーザが所属する部門（例えば、セルＡ１内）から持ち出したときに画面ロックの解除セキュリティが有効に設定される。そのため、他部門（例えば、セルＡ２内）で携帯端末装置１の画面ロックを解除するためにはパスワード入力が必要である。したがって、セキュリティが優れている。
【０１１０】
上述の例において、プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１１】
＜変形例＞
なお、本発明は上記実施の形態に限られたものではなく、趣旨を逸脱しない範囲で適宜変更することが可能である。例えば、アクセスポイント指定情報５１は、実施の形態２において携帯端末装置１が通常利用するネットワークのＥＳＳ−ＩＤであるが、携帯端末装置１が通常利用するネットワークに属するアクセスポイントを識別するＢＳＳ−ＩＤであってもよい。実施の形態２ではパスワードに基づいてユーザ認証を行ったが、タッチパネル８をなぞるパターンに基づいてユーザ認証を行ってもよい。
【０１１２】
実施の形態２おいて、画面アンロック状態Ｓ１における無操作タイムアウトによりスタンバイ状態Ｓ２への遷移を実行し、画面アンロック状態Ｓ５における無操作タイムアウトによりスタンバイ状態Ｓ６への遷移を実行している。画面アンロック状態Ｓ１における電源ボタン１００の操作（短押し）によりスタンバイ状態Ｓ２への遷移を実行し、画面アンロック状態Ｓ５における電源ボタン１００の操作（短押し）によりスタンバイ状態Ｓ６への遷移を実行してもよい。
【０１１３】
実施の形態２では、スタンバイ状態Ｓ６においてスタンバイ解除操作（電源ボタン１００の短押し）が実行された場合、携帯端末装置１の動作状態への遷移と画面ロックの解除を同時に実行して携帯端末装置１を画面アンロック状態Ｓ５に遷移させている。このようにするかわりに、スタンバイ状態Ｓ６においてスタンバイ解除操作（電源ボタン１００の短押し）が実行された場合、スタンバイ制御部１５が携帯端末装置１を動作状態に遷移させ、表示部８０が画面ロック解除画面８２を表示してもよい。
【０１１４】
図１１は、画面ロック解除画面８２を表示中の携帯端末装置１の外観を示している。画面ロック解除画面８２は、画面ロック解除ボタン８２ａを含む。この場合、入力部９０が画面ロック解除ボタン８２ａに対する操作を検出すると、画面ロック制御部１１は、画面ロックを解除して携帯端末装置１を画面アンロック状態Ｓ５に遷移させる。
【符号の説明】
【０１１５】
１  携帯端末装置
１１  画面ロック制御部
１２  画面ロック解除セキュリティ設定部
１３  ユーザ認証部
１４  接続管理部
１５  スタンバイ制御部
２  無線通信部
５  記憶部
５１  アクセスポイント指定情報
５２  ユーザ認証情報
５４  無操作タイマー設定値
６１  プログラム
７０  タイマー部
８  タッチパネル
８０  表示部
８１  ユーザ認証情報入力画面
９０  入力部
９１  ユーザ認証情報
１００  電源ボタン
ＡＰ１、ＡＰ２、ＡＰ５  アクセスポイント
【図１】
2014215673.tif 000003
【図２】
2014215673.tif 000004
【図３】
2014215673.tif 000005
【図４】
2014215673.tif 000006
【図５】
2014215673.tif 000007
【図６】
2014215673.tif 000008
【図７】
2014215673.tif 000009
【図８】
2014215673.tif 000010
【図９】
2014215673.tif 000011
【図１０】
2014215673.tif 000012
【図１１】
2014215673.tif 000013